(57)【要約】  管理装置の制御部は、複数のユーザが所望する要求温度情報を蓄積し、蓄積された要求温度情報から、各ユーザの所望する設定温度のそれぞれの全蓄積数に対する分布と、実際に提供されている温度毎の空調対象空間数の分布とを比較し、比較結果に予め設定された以上の差異がある場合、空調対象空間毎にそれぞれ設定温度に対する補正値を算出し、該当する空気調和装置の設定温度を補正する空調温度補正部と、少なくとも空調対象空間のそれぞれの所在と、空調対象空間毎の温度と、を含む情報を表示する表示部と、を備え、制御部は、ユーザの所望する設定温度と、空調対象空間の温度情報と、を比較して、複数の空調対象空間の中から、ユーザの所望する設定温度に最も近い温度の空調対象空間に関する情報を表示部に表示させる。
2021024316.tif 000002
【特許請求の範囲】
【請求項１】
複数の空調対象空間にそれぞれ設けられた空気調和装置と、各前記空気調和装置と通信可能に接続され、これら空気調和装置における空調制御を管理する管理装置と、を備える空気調和システムであって、
前記複数の空調対象空間の温度をそれぞれ測定する温度測定部と、
少なくとも前記空調対象空間のそれぞれの所在と、前記空調対象空間毎の温度と、を含む情報を、当該空調対象空間毎に表示する表示部と、を有し、
前記管理装置は、
前記空調制御の管理を司る制御部と、
複数のユーザが各々所望する設定温度を入力する設定温度入力部と、
前記設定温度入力部を介して入力された各前記ユーザの所望する設定温度をそれぞれ要求温度情報として蓄積する温度情報蓄積部と、
前記温度情報蓄積部に蓄積された前記要求温度情報に基づき、要求温度分布情報を算出する温度情報処理部と、
前記温度測定部によって測定された前記空調対象空間毎の温度の測定結果を温度情報として取得する測定温度入力部と、
前記測定温度入力部によって取得された前記空調対象空間毎の温度情報に基づいて空間温度分布情報を算出し、当該空間温度分布情報と、前記温度情報処理部によって算出された前記要求温度分布情報と、を比較して、前記要求温度分布情報と前記空間温度分布情報との比較結果に予め設定された以上の差異がある場合、前記空調対象空間毎にそれぞれ前記設定温度に対する補正値を算出し、当該補正値によって該当する前記空調対象空間に設置された前記空気調和装置の設定温度を補正する空調温度補正部と、を備え、
前記制御部は、
前記設定温度入力部を介して入力された各前記ユーザの所望する設定温度と、前記測定温度入力部によって取得された前記空調対象空間毎の温度情報と、を比較して、前記複数の空調対象空間の中から、前記ユーザの所望する設定温度に最も近い温度の空調対象空間に関する情報を前記表示部に表示させる、空気調和システム。
【請求項２】
前記温度情報処理部は、
前記温度情報蓄積部に蓄積された前記要求温度情報から、各前記ユーザの所望する設定温度のそれぞれが、前記要求温度情報の前記温度情報蓄積部における全蓄積数に対して占める割合を前記要求温度分布情報として算出し、
前記空調温度補正部は、
前記測定温度入力部によって取得された前記空調対象空間毎の温度情報から、各温度の前記空調対象空間の空間数が、前記空調対象空間の全空間数に対して占める割合を前記空間温度分布情報として算出する、請求項１に記載の空気調和システム。
【請求項３】
前記表示部は、
前記管理装置と通信可能に接続される携帯型端末またはリモコンに設けられる、請求項１または２に記載の空気調和システム。
【請求項４】
前記温度情報処理部は、
前記温度情報蓄積部から蓄積された前記要求温度情報を取得し、
前記取得した要求温度情報の件数が、前記要求温度分布情報を算出するために必要な有効数を満たしているか否かを判断し、
前記有効数を満たしていない場合、再度、前記温度情報蓄積部から前記要求温度情報を取得し、
前記有効数を満たしている場合、前記取得した要求温度情報を温度毎に集計して、各前記ユーザの所望する設定温度の統計をとり、当該統計結果が前記温度情報蓄積部における前記要求温度情報の全蓄積数に対して占める割合を前記要求温度分布情報として算出する、請求項１〜３のいずれか一項に記載の空気調和システム。
【請求項５】
前記空調温度補正部は、
前記温度情報処理部によって算出された前記要求温度分布情報と、
前記測定温度入力部によって取得された前記空調対象空間毎の温度情報を用いて算出する前記空間温度分布情報と、を比較し、
各前記ユーザの所望する設定温度の分布に対して実際に提供されている各前記空調対象空間の温度毎の空間数の過不足を求め、
各前記ユーザの所望する設定温度の分布に対応するように前記空調対象空間毎に前記空気調和装置の設定温度を補正する、請求項１〜４のいずれか一項に記載の空気調和システム。
【請求項６】
前記空調温度補正部は、
各前記ユーザの所望する設定温度の分布と、
実際に提供されている温度毎の前記空調対象空間における空間数の分布と、の差分を算出し、
当該算出した差分の値が正の場合、前記複数の空調対象空間のうち、前記ユーザの所望する設定温度に対応した空調対象空間が不足していると判断し、
前記算出した差分の値が負の場合、前記複数の空調対象空間のうち、前記ユーザの所望する設定温度に対応した空調対象空間が過剰に提供されていると判断する、請求項５に記載の空気調和システム。
【請求項７】
前記空調温度補正部は、
各前記ユーザが所望する設定温度の分布に対して最も過剰に提供されている温度の前記空調対象空間の空間数が全空間数に対して占める割合である過剰割合と、
前記複数の空調対象空間にそれぞれ配置された各前記空気調和装置のうちの一台の設定温度を補正したときに生じる各前記空気調和装置の全台数に対する前記一台あたりの影響の度合いの割合である影響割合と、を比較し、
前記過剰割合が前記影響割合より小さい場合、各前記空気調和装置に対する温度設定の補正を保留し、
前記過剰割合が前記影響割合より大きい場合、最も過剰に存在する温度の空調対象空間のうちの一つに設置される前記空気調和装置一台を補正対象として選定し、当該選定した空気調和装置の設定温度と、各前記ユーザの所望する設定温度のうちの最も不足している設定温度と、の差分を補正値として算出し、当該補正値によって前記選定した空気調和装置の設定温度を補正する、請求項６に記載の空気調和システム。
【請求項８】
複数の空調対象空間にそれぞれ設けられた空気調和装置と通信可能に接続され、これら空気調和装置における空調制御を管理する空気調和システムの制御方法であって、
入力された複数のユーザが各々所望する設定温度をそれぞれ要求温度情報として温度情報蓄積部に蓄積する設定温度入力ステップと、
前記温度情報蓄積部に蓄積された前記要求温度情報に基づき、要求温度分布情報を算出する温度情報処理ステップと、
前記空調対象空間の温度を測定する温度測定部によって測定された前記空調対象空間毎の温度の測定結果を温度情報として取得する測定温度入力ステップと、
前記測定温度入力ステップにて取得された前記空調対象空間毎の温度情報に基づいて空間温度分布情報を算出し、当該空間温度分布情報と、前記温度情報処理ステップにて算出された前記要求温度分布情報と、を比較して、前記要求温度分布情報と前記空間温度分布情報との比較結果に予め設定された以上の差異がある場合、前記空調対象空間毎にそれぞれ前記設定温度に対する補正値を算出し、当該補正値によって該当する前記空調対象空間に設置された前記空気調和装置の設定温度を補正する空調温度補正ステップと、
少なくとも前記空調対象空間のそれぞれの所在と、前記測定温度入力ステップにて取得された前記空調対象空間毎の温度と、を含む情報を、当該空調対象空間毎に表示すると共に、前記設定温度入力ステップにて入力された各前記ユーザの所望する設定温度と、前記測定温度入力ステップにて取得された前記空調対象空間毎の温度情報と、を比較して、前記複数の空調対象空間の中から、前記ユーザの所望する設定温度に最も近い温度の空調対象空間に関する情報を表示手段に表示させる表示ステップと、を含む、空気調和システムの制御方法。
【請求項９】
温度情報処理ステップでは、
前記温度情報蓄積部に蓄積された前記要求温度情報から、各前記ユーザの所望する設定温度のそれぞれが、前記要求温度情報の前記温度情報蓄積部における全蓄積数に対して占める割合を前記要求温度分布情報として算出し、
空調温度補正ステップでは、
前記測定温度入力ステップにて取得された前記空調対象空間毎の温度情報から、各温度の前記空調対象空間の空間数が、前記空調対象空間の全空間数に対して占める割合を前記空間温度分布情報として算出する、請求項８に記載の空気調和システムの制御方法。
【請求項１０】
前記温度情報処理ステップでは、
前記温度情報蓄積部から蓄積された前記要求温度情報を取得し、
前記取得した要求温度情報の件数が、前記要求温度分布情報を算出するために必要な有効数を満たしているか否かを判断し、
前記有効数を満たしていない場合、再度、前記温度情報蓄積部から前記要求温度情報を取得し、
前記有効数を満たしている場合、前記取得した要求温度情報を温度毎に集計して、各前記ユーザの所望する設定温度の統計をとり、当該統計結果が前記温度情報蓄積部における前記要求温度情報の全蓄積数に対して占める割合を前記要求温度分布情報として算出する、請求項８または９に記載の空気調和システムの制御方法。
【請求項１１】
前記空調温度補正ステップでは、
前記温度情報処理ステップにて算出された前記要求温度分布情報と、
前記測定温度入力ステップにて取得された前記空調対象空間毎の温度情報を用いて算出する前記空間温度分布情報と、を比較し、
各前記ユーザの所望する設定温度の分布に対して実際に提供されている各前記空調対象空間の温度毎の空間数の過不足を求め、
各前記ユーザの所望する設定温度の分布に対応するように前記空調対象空間毎に前記空気調和装置の設定温度を補正する、請求項８〜１０のいずれか一項に記載の空気調和システムの制御方法。
【請求項１２】
前記空調温度補正ステップでは、
各前記ユーザの所望する設定温度の分布と、
実際に提供されている温度毎の前記空調対象空間における空間数の分布と、の差分を算出し、
当該算出した差分の値が正の場合、前記複数の空調対象空間のうち、前記ユーザの所望する設定温度に対応した空調対象空間が不足していると判断し、
前記算出した差分の値が負の場合、前記複数の空調対象空間のうち、前記ユーザの所望する設定温度に対応した空調対象空間が過剰に提供されていると判断する、請求項１０に記載の空気調和システムの制御方法。
【請求項１３】
前記空調温度補正ステップでは、
各前記ユーザが所望する設定温度の分布に対して最も過剰に提供されている温度の前記空調対象空間の空間数が全空間数に対して占める割合である過剰割合と、
前記複数の空調対象空間にそれぞれ配置された各前記空気調和装置のうちの一台の設定温度を補正したときに生じる各前記空気調和装置の全台数に対する前記一台あたりの影響の度合いの割合である影響割合と、を比較し、
前記過剰割合が前記影響割合より小さい場合、各前記空気調和装置に対する温度設定の補正を保留し、
前記過剰割合が前記影響割合より大きい場合、最も過剰に存在する温度の空調対象空間のうちの一つに設置される前記空気調和装置一台を補正対象として選定し、当該選定した空気調和装置の設定温度と、各前記ユーザの所望する設定温度のうちの最も不足している設定温度と、の差分を補正値として算出し、当該補正値によって前記選定した空気調和装置の設定温度を補正する、請求項１１に記載の空気調和システムの制御方法。
【発明の詳細な説明】
【技術分野】
【０００１】
本発明は、複数のユーザの嗜好温度に応じた空調制御を管理する空気調和システムおよびその制御方法に関する。
【背景技術】
【０００２】
近年、空調対象空間としての室内に存在するユーザの体感温度に応じて空調制御を行う空気調和システムが知られている（例えば、特許文献１参照）。特許文献１の空気調和システムでは、室内を撮影して得られた画像データと室内の温度とから画像データに含まれるユーザの体感温度を算出し、算出したユーザの体感温度を、予め設定されたユーザの嗜好温度に近づけるように空調制御している。
【先行技術文献】
【特許文献】
【０００３】
【特許文献１】特開２０１３−１４２５１７号公報
【発明の概要】
【発明が解決しようとする課題】
【０００４】
しかしながら、室内に複数のユーザが存在する場合、各ユーザの嗜好温度は必ずしも一致せず、それぞれ異なることが多い。そのため、特許文献１の空気調和システムの場合、全ユーザの嗜好温度に合わせた全ユーザの快適度を満たす空調制御を行うことは困難であった。【０００５】
ところで、店舗、図書館および役所等の不特定多数のユーザが利用する公共施設またはオフィスおよび学校等の特定多数のユーザが利用する施設においては、複数の空調対象空間が存在する。そこで、本発明者は、ユーザ毎の嗜好温度に合わせて各空調対象空間毎に異なる空調制御を行い、それぞれ嗜好温度の近しいユーザ同士が当該嗜好温度またはそれに近い温度の空間を利用することで、全ユーザの快適度を満たす空調制御が可能となる点に着目した。【０００６】
本発明は、上述した課題を解決するためのものであり、複数のユーザの嗜好温度に合わせた空調制御を行うことができ、全ユーザの快適度を満たす空調対象空間の提供が可能な空気調和システムおよびその制御方法を提供することを目的とする。
【課題を解決するための手段】
【０００７】
本発明に係る空気調和システムは、複数の空調対象空間にそれぞれ設けられた空気調和装置と、各前記空気調和装置と通信可能に接続され、これら空気調和装置における空調制御を管理する管理装置と、を備える空気調和システムであって、前記複数の空調対象空間の温度をそれぞれ測定する温度測定部と、少なくとも前記空調対象空間のそれぞれの所在と、前記空調対象空間毎の温度と、を含む情報を、当該空調対象空間毎に表示する表示部と、を有し、前記管理装置は、前記空調制御の管理を司る制御部と、複数のユーザが各々所望する設定温度を入力する設定温度入力部と、前記設定温度入力部を介して入力された各前記ユーザの所望する設定温度をそれぞれ要求温度情報として蓄積する温度情報蓄積部と、前記温度情報蓄積部に蓄積された前記要求温度情報に基づき、要求温度分布情報を算出する温度情報処理部と、前記温度測定部によって測定された前記空調対象空間毎の温度の測定結果を温度情報として取得する測定温度入力部と、前記測定温度入力部によって取得された前記空調対象空間毎の温度情報に基づいて空間温度分布情報を算出し、当該空間温度分布情報と、前記温度情報処理部によって算出された前記要求温度分布情報と、を比較して、前記要求温度分布情報と前記空間温度分布情報との比較結果に予め設定された以上の差異がある場合、前記空調対象空間毎にそれぞれ前記設定温度に対する補正値を算出し、当該補正値によって該当する前記空調対象空間に設置された前記空気調和装置の設定温度を補正する空調温度補正部と、を備え、前記制御部は、前記設定温度入力部を介して入力された各前記ユーザの所望する設定温度と、前記測定温度入力部によって取得された前記空調対象空間毎の温度情報と、を比較して、前記複数の空調対象空間の中から、前記ユーザの所望する設定温度に最も近い温度の空調対象空間に関する情報を前記表示部に表示させるものである。【０００８】
また、本発明に係る空気調和システムの制御方法は、複数の空調対象空間にそれぞれ設けられた空気調和装置と通信可能に接続され、これら空気調和装置における空調制御を管理する空気調和システムの制御方法であって、入力された複数のユーザが各々所望する設定温度をそれぞれ要求温度情報として温度情報蓄積部に蓄積する設定温度入力ステップと、前記温度情報蓄積部に蓄積された前記要求温度情報に基づき、要求温度分布情報を算出する温度情報処理ステップと、前記空調対象空間の温度を測定する温度測定部によって測定された前記空調対象空間毎の温度の測定結果を温度情報として取得する測定温度入力ステップと、前記測定温度入力ステップにて取得された前記空調対象空間毎の温度情報に基づいて空間温度分布情報を算出し、当該空間温度分布情報と、前記温度情報処理ステップにて算出された前記要求温度分布情報と、を比較して、前記要求温度分布情報と前記空間温度分布情報との比較結果に予め設定された以上の差異がある場合、前記空調対象空間毎にそれぞれ前記設定温度に対する補正値を算出し、当該補正値によって該当する前記空調対象空間に設置された前記空気調和装置の設定温度を補正する空調温度補正ステップと、少なくとも前記空調対象空間のそれぞれの所在と、前記測定温度入力ステップにて取得された前記空調対象空間毎の温度と、を含む情報を、当該空調対象空間毎に表示すると共に、前記設定温度入力ステップにて入力された各前記ユーザの所望する設定温度と、前記測定温度入力ステップにて取得された前記空調対象空間毎の温度情報と、を比較して、前記複数の空調対象空間の中から、前記ユーザの所望する設定温度に最も近い温度の空調対象空間に関する情報を表示手段に表示させる表示ステップと、を含むものである。
【発明の効果】
【０００９】
本発明によれば、複数のユーザの所望する設定温度を蓄積し、その設定温度毎の全蓄積数に対する割合を算出する。この算出された割合と、空調対象空間毎の温度の測定結果と、を比較し、予め設定された以上の差異がある場合、空調対象空間毎にそれぞれ設定温度に対する補正値を算出し、当該補正値によって該当する空気調和装置の設定温度を補正する。また、ユーザの所望する設定温度と、空調対象空間毎の温度の測定結果と、を比較して、複数の空調対象空間の中から、ユーザの所望する設定温度に最も近い温度の空調対象空間に関する情報を表示部に表示させる。これにより、複数のユーザの嗜好温度に合わせた空調制御を行うことができる。従って、全ユーザの快適度を満たす空調対象空間を提供することができる。
【図面の簡単な説明】
【００１０】
【図１】実施の形態１に係る空気調和システムの構成を示すブロック図である。
【図２】図１の空気調和システムにおける管理装置の構成を示すブロック図である。
【図３】図２の管理装置における空調制御の処理手順を示すフローチャートである。
【図４】図３の温度情報処理の手順を示すフローチャートである。
【図５】図２の管理装置における温度情報処理部にて集計される情報の説明に供する概念図である。
【図６】図３の空調温度補正処理の手順を示すフローチャートである。
【発明を実施するための形態】
【００１１】
実施の形態１．
以下、本発明に係る空気調和システムおよびその制御方法の実施の形態について、添付の図面を参照しながら説明する。なお、図面の形態は一例であり、本発明を限定するものではない。また、各図において、同一の符号を付したものは、同一のまたはこれに相当するものであり、これは明細書の全文において共通している。また、明細書全文に示す構成要素の形態は、あくまで例示であってこれらの記載に限定されるものではない。
【００１２】
＜空気調和システム１００＞
図１は、実施の形態１に係る空気調和システム１００の構成を示すブロック図である。図１を用いて、実施の形態１に係る空気調和システム１００について説明する。図１に示すように、空気調和システム１００は、複数の空調対象空間Ｒ１、Ｒ２〜Ｒｎにそれぞれ設けられた空気調和装置１１、１２〜１ｎと、各空気調和装置１１〜１ｎと通信可能に接続され、これら空気調和装置１１〜１ｎにおける空調制御を管理する管理装置２と、を備えている。本実施の形態１の場合、各空気調和装置１１〜１ｎと管理装置２とは、バス３および当該バスに接続される接続配線３１、３２〜３ｎを介して通信可能に接続されている。なお、各空気調和装置１１〜１ｎと管理装置２とは、無線によって通信可能に接続されていてもよい。また、空気調和装置１１〜１ｎは、ユーザの要求に応じて冷房または暖房等の空気調和を行うものであれば、一般的なものを広く適用可能である。
【００１３】
また、空気調和システム１００は、複数の空調対象空間Ｒ１〜Ｒｎの温度である室温をそれぞれ測定する温度測定部としての温度センサ４１、４２〜４ｎを有している。この温度センサ４１〜４ｎは、空調対象空間Ｒ１〜Ｒｎ毎にそれぞれ配置されており、空気調和装置１１〜１ｎと配線３Ａ１、３Ａ２〜３Ａｎを介して接続されている。なお、温度センサ４１〜４ｎは、それぞれ配置される空調対象空間Ｒ１〜Ｒｎの室温を測定可能なものであれば、その設置の位置は限定されることはない。例えば、各空調対象空間Ｒ１〜Ｒｎの壁または天井等に直接設置されていてもよいし、各空気調和装置１１〜１ｎに設置されていてもよいし、各空気調和装置１１〜１ｎに対応する不図示のリモコンに設置されていてもよい。
【００１４】
さらに、空気調和システム１００は、少なくとも空調対象空間Ｒ１〜Ｒｎのそれぞれの所在と、空調対象空間Ｒ１〜Ｒｎ毎の室温と、を含む情報を、当該空調対象空間Ｒ１〜Ｒｎ毎に表示する表示手段としての表示部５を備えている。表示部５は、各空調対象空間Ｒ１〜Ｒｎの入口にモニタまたはパネル等として設けられてもよいし、管理装置２と通信可能に接続される携帯型端末またはリモコンに設けられてもよい。要は、ユーザＵ１〜Ｕｎが、空調対象空間Ｒ１〜Ｒｎを利用する際に確認できることが望ましい。なお、図１では、空調対象空間Ｒ１にユーザＵ１およびＵ２が在室し、空調対象空間ＲｎにユーザＵｎが在室している例を示している。
【００１５】
このように、本実施の形態１の空気調和システム１００では、複数の空調対象空間Ｒ１〜Ｒｎにそれぞれ設置された空気調和装置１１〜１ｎによって、当該空調対象空間Ｒ１〜Ｒｎ毎に設定された温度となるように、管理装置２によって空調制御されている。
【００１６】
（管理装置２）
次に、図２を用いて、空気調和システム１００の管理装置２について説明する。図２は、図１の空気調和システム１００における管理装置２の構成を示すブロック図である。図２に示すように、管理装置２は、空調制御の管理を司る制御部２１と、ユーザＵ１、Ｕ２〜Ｕｎの所望する設定温度を入力する設定温度入力部２２と、を有している。制御部２１は、空気調和システム１００全体を制御するものである。また、管理装置２は、温度情報蓄積部２３と、温度情報処理部２４と、測定温度入力部２５と、空調温度補正部２６とを備えている。なお、表示部５は、管理装置２と別に図示しているが、管理装置２に含めてもよい。
【００１７】
温度情報蓄積部２３は、設定温度入力部２２を介して入力された複数のユーザＵ１〜Ｕｎの所望する設定温度を要求温度情報として蓄積する。なお、温度情報蓄積部２３に蓄積する要求温度情報の保有期間は、空調対象空間がオフィスであるのか、または飲食店であるのか等の用途に応じて適宜、変更可能である。
【００１８】
温度情報処理部２４は、温度情報蓄積部２３に蓄積された要求温度情報から、各ユーザＵ１〜Ｕｎの所望する設定温度のそれぞれが、要求温度情報の温度情報蓄積部２３における全蓄積数に対して占める割合を要求温度分布情報として算出する。具体的に、温度情報処理部２４は、温度情報蓄積部２３から蓄積された要求温度情報を取得し、取得した要求温度情報の件数が、要求温度分布情報を算出するために必要な有効数を満たしているか否かを判断する。このとき、取得した要求温度情報の件数が、有効数を満たしていない場合、再度、温度情報蓄積部２３から要求温度情報を取得する。また、取得した要求温度情報の件数が、有効数を満たしている場合、取得した要求温度情報を温度毎に集計して、各ユーザＵ１〜Ｕｎの所望する設定温度の統計をとる。そして、温度情報処理部２４は、統計結果が温度情報蓄積部２３における要求温度情報の全蓄積数に対して占める割合を要求温度分布情報として算出する。
【００１９】
測定温度入力部２５は、温度センサ４１〜４ｎによって測定された空調対象空間Ｒ１〜Ｒｎ毎の温度の測定結果を温度情報として取得する。
【００２０】
空調温度補正部２６は、測定温度入力部２５によって取得された空調対象空間Ｒ１〜Ｒｎ毎の温度情報から、各温度の空調対象空間Ｒ１〜Ｒｎの空間数が、空調対象空間Ｒ１〜Ｒｎの全空間数に対して占める割合を空間温度分布情報として算出する。そして、空調温度補正部２６は、算出した空間温度分布情報と、温度情報処理部２４によって算出された要求温度分布情報と、を比較する。このとき、要求温度分布情報と空間温度分布情報との比較結果に予め設定された以上の差異がある場合、空調温度補正部２６は、空調対象空間Ｒ１〜Ｒｎ毎にそれぞれ設定温度に対する補正値を算出する。そして、空調温度補正部２６は、算出した補正値によって該当する空調対象空間Ｒ１〜Ｒｎに設置された空気調和装置１１〜１ｎの設定温度を補正する。
【００２１】
具体的に、空調温度補正部２６は、各ユーザＵ１〜Ｕｎの所望する設定温度の分布と、実際に提供されている温度毎の空調対象空間Ｒ１〜Ｒｎにおける空間数の分布と、の差分を算出する。ここで、当該算出した差分の値が正の場合、複数の空調対象空間Ｒ１〜Ｒｎのうち、ユーザＵ１〜Ｕｎの所望する設定温度に対応した空調対象空間Ｒ１〜Ｒｎが不足していると判断する。また、算出した差分の値が負の場合、複数の空調対象空間Ｒ１〜Ｒｎのうち、ユーザＵ１〜Ｕｎの所望する設定温度に対応した空調対象空間Ｒ１〜Ｒｎが過剰に提供されていると判断する。
【００２２】
より具体的に、空調温度補正部２６は、各ユーザＵ１〜Ｕｎが所望する設定温度の分布に対して最も過剰に提供されている温度の空調対象空間Ｒ１〜Ｒｎの空間数が全空間数に対して占める割合である過剰割合と、複数の空調対象空間Ｒ１〜Ｒｎにそれぞれ配置された各空気調和装置１１〜１ｎのうちの一台の設定温度を補正したときに生じる各空気調和装置１１〜１ｎの全台数に対する前記一台あたりの影響の度合いの割合である影響割合と、を比較する。この比較の結果、過剰割合が影響割合より小さい場合、各空気調和装置１１〜１ｎに対する温度設定の補正を保留する。また、過剰割合が影響割合より大きい場合、最も過剰に存在する温度の空調対象空間Ｒ１〜Ｒｎのうちの一つに設置される空気調和装置一台を補正対象として選定する。そして、当該選定した空気調和装置１１〜１ｎの設定温度と、各ユーザＵ１〜Ｕｎの所望する設定温度のうちの最も不足している設定温度と、の差分を補正値として算出し、当該補正値によって選定した空気調和装置１１〜１ｎの設定温度を補正する。
【００２３】
このようにして、空調温度補正部２６は、各ユーザＵ１〜Ｕｎの所望する設定温度の分布に対して実際に提供されている各空調対象空間Ｒ１〜Ｒｎの温度毎の空間数の過不足を求め、各ユーザＵ１〜Ｕｎの所望する設定温度の分布に対応するように空調対象空間Ｒ１〜Ｒｎ毎に空気調和装置１１〜１ｎの設定温度を補正する。
【００２４】
ここで、上述の構成の管理装置２における制御部２１による制御について、例えば、ユーザＵ１〜ＵｎのうちのユーザＵ１が、所望する設定温度を入力した場合を例にして説明する。制御部２１は、設定温度入力部２２を介して入力されたユーザＵ１の所望する設定温度と、測定温度入力部２５によって取得された空調対象空間Ｒ１〜Ｒｎ毎の温度情報と、を比較する。そして、複数の空調対象空間Ｒ１〜Ｒｎの中から、ユーザＵ１の所望する設定温度に最も近い温度の空調対象空間Ｒ２に関する情報を表示部５に表示させる。よって、ユーザＵ１は、表示部５の表示にしたがって、空調対象空間Ｒ２を利用することで、自分の嗜好温度に合わせた空調対象空間Ｒ２で快適度が満たされる。
【００２５】
このように、本実施の形態１の空気調和システム１００では、管理装置２による空調制御の管理により、複数のユーザＵ１〜Ｕｎの嗜好温度に合わせた空調制御を行うことができる。従って、全ユーザＵ１〜Ｕｎの快適度を満たす空調対象空間Ｒ１〜Ｒｎを提供することができる。
【００２６】
＜空気調和システム１００の制御方法＞
次に、図３を用いて、空気調和システム１００の制御方法について説明する。図３は、図２の管理装置２における空調制御の処理手順を示すフローチャートである。
【００２７】
図２および図３に示すように、設定温度入力部２２を介してユーザＵ１〜Ｕｎの所望する設定温度が入力されると、当該入力された複数のユーザＵ１〜Ｕｎが各々所望する設定温度をそれぞれ要求温度情報として温度情報蓄積部２３に蓄積する（設定温度入力ステップＳ１）。
【００２８】
次に、温度情報蓄積部２３に蓄積された要求温度情報から、ユーザＵ１〜Ｕｎの所望する設定温度のそれぞれが、要求温度情報の温度情報蓄積部２３における全蓄積数に対して占める割合を要求温度分布情報として算出する（温度情報処理ステップＳ２）。
【００２９】
次いで、空調対象空間Ｒ１〜Ｒｎの温度を測定する温度センサ４１、４２〜４ｎによって測定された空調対象空間Ｒ１〜Ｒｎ毎の温度の測定結果を温度情報として取得する（測定温度入力ステップＳ３）。
【００３０】
続いて、測定温度入力ステップＳ３にて取得された空調対象空間Ｒ１〜Ｒｎ毎の温度情報から、各温度の空調対象空間Ｒ１〜Ｒｎの空間数が、空調対象空間Ｒ１〜Ｒｎの全空間数に対して占める割合を空間温度分布情報として算出する。そして、算出した当該空間温度分布情報と、温度情報処理ステップＳ２にて算出された要求温度分布情報と、を比較する。ここで、要求温度分布情報と空間温度分布情報との比較結果に予め設定された以上の差異がある場合、空調対象空間Ｒ１〜Ｒｎ毎にそれぞれ設定温度に対する補正値を算出し、当該補正値によって該当する空気調和装置１１〜１ｎの設定温度を補正する（空調温度補正ステップＳ４）。
【００３１】
表示ステップＳ５では、少なくとも空調対象空間Ｒ１〜Ｒｎのそれぞれの所在と、測定温度入力ステップＳ３にて取得された空調対象空間Ｒ１〜Ｒｎ毎の温度と、を含む情報を、当該空調対象空間Ｒ１〜Ｒｎ毎に表示部５に表示させる。これと共に、表示ステップＳ５では、設定温度入力ステップＳ１にて入力されたユーザＵ１〜Ｕｎの所望する設定温度と、測定温度入力ステップＳ３にて取得された空調対象空間Ｒ１〜Ｒｎ毎の温度情報と、を比較する。そして、このように比較した結果に基づいて、複数の空調対象空間Ｒ１〜Ｒｎの中から、ユーザＵ１〜Ｕｎの所望する設定温度に最も近い温度の空調対象空間Ｒ１〜Ｒｎに関する情報を表示部５に表示させる。
【００３２】
ここで、図３の空調制御の処理手順における温度情報処理ステップＳ２の詳細な処理について、図４および図５を用いて説明する。図４は、図３の温度情報処理（Ｓ２）の手順を示すフローチャートである。図５は、図２の管理装置２における温度情報処理部２４にて集計される情報の説明に供する概念図である。図３の温度情報処理ステップＳ２においては、温度情報処理手順として、図４に示すように、まず、温度情報蓄積部２３から蓄積された要求温度情報を取得する（ステップＳ２１）。
【００３３】
続いて、取得した要求温度情報の件数が、要求温度分布情報を算出するために必要な有効数を満たしているか否かを判断する（ステップＳ２２）。このとき、取得した要求温度情報の件数が、前述の有効数を満たしていない場合（ステップＳ２２：Ｎ）、再度、温度情報蓄積部２３から要求温度情報を取得する。また、取得した要求温度情報の件数が、前述の有効数を満たしている場合（ステップＳ２２：Ｙ）、取得した要求温度情報を温度毎に集計する。そして、図５に示すように、各ユーザＵ１〜Ｕｎの所望する設定温度の統計をとり、当該統計結果が温度情報蓄積部２３における要求温度情報の全蓄積数に対して占める割合を要求温度分布情報として算出する（ステップＳ２３）。
【００３４】
このようにして、空調制御の処理手順における温度情報処理ステップＳ２では、温度情報蓄積部２３に蓄積された要求温度情報から、各ユーザＵ１〜Ｕｎの所望する設定温度のそれぞれが、要求温度情報の温度情報蓄積部２３における全蓄積数に対して占める割合を要求温度分布情報として算出する。
【００３５】
次に、図３の空調制御の処理手順における空調温度補正ステップＳ４の処理について、図６を用いて説明する。図６は、図３の空調温度補正処理（Ｓ４）の手順を示すフローチャートである。図３の空調温度補正ステップＳ４においては、空調温度補正処理手順として、図６に示すように、まず、温度情報処理ステップＳ２（図３参照）にて算出された要求温度分布情報を取得する（ステップＳ４１）。
【００３６】
次に、測定温度入力ステップＳ３（図３参照）にて取得された空調対象空間Ｒ１〜Ｒｎ毎の温度情報を用いて、各温度の空調対象空間Ｒ１〜Ｒｎの空間数が、空調対象空間Ｒ１〜Ｒｎの全空間数に対して占める割合を空間温度分布情報として算出する（ステップＳ４２）。
【００３７】
次いで、ステップＳ４１で取得した要求温度分布情報と、ステップＳ４２で算出した空間温度分布情報と、の差分を算出する（ステップＳ４３）。すなわち、ステップＳ４３では、各ユーザＵ１〜Ｕｎの所望する設定温度の分布と、実際に提供されている温度毎の空調対象空間Ｒ１〜Ｒｎにおける空間数の分布と、の差分を算出する。
【００３８】
続いて、ステップＳ４３で算出した差分に基づいて、ユーザＵ１〜Ｕｎの所望する設定温度毎の割合に対する空調対象空間数の過不足を求める（ステップＳ４４）。すなわち、ステップＳ４３で算出した差分の値が正の場合、複数の空調対象空間Ｒ１〜Ｒｎのうち、ユーザＵ１〜Ｕｎの所望する設定温度に対応した空調対象空間Ｒ１〜Ｒｎが不足していると判断する。また、算出した差分の値が負の場合、複数の空調対象空間Ｒ１〜Ｒｎのうち、ユーザＵ１〜Ｕｎの所望する設定温度に対応した空調対象空間Ｒ１〜Ｒｎが過剰に提供されていると判断する。
【００３９】
具体的に、ステップＳ４４では、ユーザＵ１〜Ｕｎが所望する設定温度に対して最も過剰に提供されている温度の空調対象空間Ｒ１〜Ｒｎの空間数が全空間数に対して占める割合である過剰割合と、複数の空調対象空間Ｒ１〜Ｒｎにそれぞれ配置された各空気調和装置１１〜１ｎのうちの一台の設定温度を補正したときに生じる各空気調和装置１１〜１ｎの全台数に対する一台あたりの影響の度合いの割合である影響割合と、を比較する。ここで、過剰割合が影響割合より小さい場合（ステップＳ４４：Ｎ）、各空気調和装置１１〜１ｎに対する温度設定の補正を保留し、この空調制御の処理手順における空調温度補正ステップＳ４の処理を終了する。また、過剰割合が影響割合より大きい場合（ステップＳ４４：Ｙ）、最も過剰に存在する温度の空調対象空間Ｒ１〜Ｒｎのうちの一つに設置される空気調和装置一台を補正対象として選定する（ステップＳ４５）。
【００４０】
次に、ステップＳ４５で選定した空気調和装置１１〜１ｎの設定温度と、ユーザＵ１〜Ｕｎの所望する設定温度のうちの最も不足している設定温度と、の差分を補正値として算出する（ステップＳ４６）。
【００４１】
そして、ステップＳ４６で算出した補正値によって、ステップＳ４５で選定した空気調和装置１１〜１ｎの設定温度を補正する（ステップＳ４７）。すなわち、ユーザＵ１〜Ｕｎの所望する設定温度毎の割合に対応するように空調対象空間Ｒ１〜Ｒｎ毎に空気調和装置１１〜１ｎの設定温度を補正する。
【００４２】
＜実施の形態１の効果＞
本実施の形態１によれば、複数のユーザＵ１〜Ｕｎの所望する設定温度を蓄積し、その設定温度毎の全蓄積数に対する割合を算出する。この算出された割合と、空調対象空間Ｒ１〜Ｒｎ毎の温度の測定結果から算出する、各温度の空調対象空間Ｒ１〜Ｒｎの空間数が、空調対象空間Ｒ１〜Ｒｎの全空間数に対して占める割合と、を比較する。このとき、この比較結果に予め設定された以上の差異がある場合、空調対象空間Ｒ１〜Ｒｎ毎にそれぞれ設定温度に対する補正値を算出し、当該補正値によって該当する空気調和装置１１〜１ｎの設定温度を補正する。また、ユーザＵ１〜Ｕｎの所望する設定温度と、空調対象空間Ｒ１〜Ｒｎ毎の温度の測定結果と、を比較して、複数の空調対象空間Ｒ１〜Ｒｎの中から、ユーザＵ１〜Ｕｎの所望する設定温度に最も近い温度の空調対象空間に関する情報を表示部５に表示させる。このように、本実施の形態１の空気調和システム１００およびその制御方法では、管理装置２による上述のような空調制御の管理により、複数のユーザＵ１〜Ｕｎの嗜好温度に合わせた空調制御を行うことができる。従って、全ユーザＵ１〜Ｕｎの快適度を満たす空調対象空間Ｒ１〜Ｒｎを提供することができる。
【符号の説明】
【００４３】
１１  空気調和装置、１２  空気調和装置、１ｎ  空気調和装置、２  管理装置、３  バス、３１  接続配線、３２  接続配線、３ｎ  接続配線、３Ａ１  配線、３Ａ２  配線、３Ａｎ  配線、４１  温度センサ、４２  温度センサ、４ｎ  温度センサ、５  表示部、２１  制御部、２２  設定温度入力部、２３  温度情報蓄積部、２４  温度情報処理部、２５  測定温度入力部、２６  空調温度補正部、１００  空気調和システム、Ｒ１  空調対象空間、Ｒ２  空調対象空間、Ｒｎ  空調対象空間、Ｕ１  ユーザ、Ｕ２  ユーザ、Ｕｎ  ユーザ。
【図１】
2021024316.tif 000003
【図２】
2021024316.tif 000004
【図３】
2021024316.tif 000005
【図４】
2021024316.tif 000006
【図５】
2021024316.tif 000007
【図６】
2021024316.tif 000008
【国際調査報告】
2021024316.tif 000009
2021024316.tif 000010
2021024316.tif 000011